(57)【要約】【課題】  複数種類の肥料をホッパ内で短時間に混合可能で、筋状または条状散布が可能な自走式肥料散布機を提供する。【解決手段】  Ｕ字状の樋に撹拌羽根を有した回転軸を内設して原料を一方向へ撹拌しながら移送する撹拌部を構成する。この撹拌部の移送方向が互いに逆方向になるように一組を隣接して設け、これらの移送方向の末端に隣接する樋に掻き上げ材を設けて原料が連続循環するように肥料ホッパを構成し、ホッパ底面に設けた複数の肥料散布排出口には、可撓性の案内筒が設けられたシャッタ部があり、案内筒の先端部はホッパの長手方向の希望する位置にそれぞれ単独で取付可能に構成し、これを自走可能な台車に載設したものである。【選択図】      図１
2005210929.tif 000002
【特許請求の範囲】
【請求項１】
Ｕ字状の樋に撹拌羽根を有した回転軸を内設して肥料を一方向へ撹拌しながら移送する撹拌部を構成し、この撹拌部の移送方向が互いに逆方向になるように一組を隣接して設け、これらの移送方向の末端に隣接する樋に肥料が移動可能な掻き上げ材を設けて肥料が連続循環するように構成するとともに、移送方向の末端側底面に排出口を複数個設け、排出口には、肥料の落下量を調節するシャッタ板が密着させて設けてあり、シャッタ部の排出口ごとに設けられた落下口には可撓性の案内筒が設けられ、案内筒の先端部はＵ字状の樋の長手方向に亘って設けられた横支持材の希望位置にそれぞれ単独に又は複数本の案内管を抱持可能に構成した肥料散布装置を、自走可能な台車に載設したことを特徴とした肥料散布機。
【請求項２】
排出口は樋長さ方向に対してそれぞれの移送方向の末端側に樋長さの２分１の長さに亘って複数個設けた請求項１記載の肥料散布機。
【発明の詳細な説明】
【技術分野】
【０００１】
本発明は、自走式肥料散布機に関するもので、複数種類の肥料をホッパ内で混合し、筋状または条状に散布できる構成に関わるものである。
【背景技術】
【０００２】
背景技術として、ホッパ内に複数種類の肥料を投入し、これらの肥料をホッパ内で混合して所定の圃場に肥料を散布する肥料散布機は、略円柱状のホッパの軸心部に複数のアームを取り付けてすくい角のある撹拌翼を設けて、この撹拌翼が回転することによって複数の肥料を混合し、混合した後に一個の繰り出し口から排出し回転散布板によって広巾散布しようとするものが公知である。（特許文献１）
【特許文献１】実公平４−５３２３１号公報
【発明の開示】
【発明が解決しようとする課題】
【０００３】
公知の技術によれば混合の際、すくい角のある撹拌翼によって肥料を持ち上げながら混合するもので、ホッパ底面と上層部との混合に時間を要すること。又、混合の後一個の繰り出し口から排出し、回転散布板で広巾に拡散散布するように構成されているため、作物の植付畝部のみに散布したい時等でも全面散布となり、不必要な部分にも散布する無駄が生ずる場合がある。このため、短時間に肥料を混合し筋状または条状散布ができる自走式肥料散布機を提供する。
【課題を解決するための手段】
【０００４】
上記課題を解決するために、Ｕ字状の樋に撹拌羽根を有した回転軸を内設して肥料を一方向へ撹拌しながら移送する撹拌部を構成し、この撹拌部の移送方向が互いに逆方向になるように一組を隣接して設け、これらの移送方向の末端に隣接する樋に肥料が移動可能な掻き上げ材を設けて肥料が連続循環するように構成するとともに、移送方向の末端側底面に排出口を複数個設け、排出口には、肥料の落下量を調節するシャッタ板が密着させて設けてあり、シャッタ部の排出口ごとに設けられた落下口には可撓性の案内筒が設けられ、案内筒の先端部はＵ字状の樋の長手方向に亘って設けられた横支持材の希望位置にそれぞれ単独に又は複数本の案内管を抱持可能に構成した肥料散布装置を、自走可能な台車に載設したことを特徴とした肥料散布機を提供したものである。又、上記肥料散布機において、排出口は樋長さ方向に対してそれぞれの移送方向の末端側に樋長さの２分１の長さに亘って複数個設けたことを特徴としたものである。
【発明の効果】
【０００５】
上記のようにＵ字状の樋に一方向へ撹拌しながら移送する撹拌部を構成し、相互に逆方向に組み合せてそれぞれ移送方向の末端に、隣接する樋に肥料が移動可能な掻き上げ材を設け連続循環して撹拌するので、肥料の滑らかな流れが形成され高速撹拌を可能にし、又、散布にあたって撹拌部のＵ字状樋の底面から直接排出散布するので、混合肥料の圧縮作用やブリッジが少なく円滑な混合と散布作業ができるようになった。さらに、排出口は樋の移送方向の末端側に２分１の長さに亘っているので、肥料残が最小になるまで排出可能であるから肥料の無駄がない。
【０００６】
また、排出口の肥料落下量を調節するシャッタ板に設けられた落下口には、可撓性の案内筒が設けられ、案内筒の先端部はＵ字状の樋の長手方向の希望位置に、それぞれ単独で取付可能に構成されているため、例えば作物の植付畝部に案内筒先端部を合せて取り付けると、植付畝部のみに散布することが可能で、必要な部分のみに肥料を筋状または条状に散布ができるため、肥料の無駄な散布が行われない。さらに、自走可能な台車に載設されているため、全体がコンパクトに構成することができ、温室パイプハウス栽培等の狭い場所での肥料散布を効率よく行える。
【発明を実施するための最良の形態】
【０００７】
以下、本発明の実施形態を図面に基づいて説明する。図１は本発明を実施した側面図、図２は肥料散布装置の平面図、図３は動力の伝達系路をを説明した側面図、図４は肥料散布装置の一部断面側面図、図５はシャッタの開度調節説明図、図６は排出口のシャッタの説明図、図７は前方よりの側面図、図８は自走台車の操作パネル部の平面図である。
【０００８】
図１と図２において、自走台車３は台車フレーム３ａに動力を発生するエンジン３１と、エンジン３１の動力により駆動する変速機３２と、変速機３２から駆動されるクローラ３３が機体両側に設けられて走行し、機体後方の運転者が操作するハンドル４６部には、各操作レバーを配置した操作パネル４が設けてあり、変速レバー３２ａを操作して走行速度を選択し、操作パネル４の各操作レバーを操作し、肥料散布作業をすることができる。散布装置５を支えている散布機フレーム１は、台車フレーム３ａに固定されて、散布装置５はエンジン３１の動力により駆動されている。
【０００９】
１８はホッパで複数の肥料を投入するものである。ホッパ１８はＵ字状の樋１７に撹拌羽根１４を有した第1回転軸９を内設し、一方向へ回転移送するものであり、移送末端側に掻き上げ材１０を設けて、第１撹拌部１１を構成する。本実施例において、撹拌羽根はリボン状螺旋に形成されている。
【００１０】
１２は撹拌羽根１４１を有した第２回転軸１３からなる第２撹拌部を示し、前記した第１撹拌部１１の移送方向とは逆に向けて回転させ、末端に掻き上げ材１０１を設けて構成する。
【００１１】
１５は排出口を示し、第１撹拌部１１の樋１７の底面で、回転移送の末端側に複数個配列し、樋巾の略２分１の長さに亘っている。１５１は第２撹拌部１２の樋１７１の底面の移送末端側に設けた排出口である。
【００１２】
２は入力プーリで、エンジン３１からＶベルトで動力を伝達され、出力軸２ｂにより他方端の駆動スプロケット６が駆動される。駆動スプロケット６から中間スプロケット６ａを経由し、第１スプロケット７及び第２スプロケット８を駆動し、第１回転軸９と第２回転軸１３を回転させる。
【００１３】
２３はシャッタ開閉レバーを示し、肥料の落下量を調節するシャッタ板を開閉するためのもので、レバーガイド３２に表示された希望する散布料目盛２３ａに合せて、シャッタ開閉レバー２３を引くと、排出口１５，１５１のシャッタ板が希望量開く。
【００１４】
図３において、駆動力の伝達経路を説明する。エンジン３１のエンジンプーリ３１ａからＶベルトにより入力プーリ２が駆動し、このエンジンプーリと入力プーリ２のＶベルトは、テンションアーム３５ａによるテンションクラッチが設けてあり、動力の伝達，遮断が可能である。入力プーリと同軸に取り付けられた駆動スプロケット６から、中間スプロケット６ａを経由し、第１スプロケット７及び第２スプロケット８が相互に内方に掬い上げるように回転する方向に、ローラーチェーン６ｃで連結され駆動される。テンションスプロケット６ｂは、ローラーチェーン６ｃの張り調整を行うものである。
【００１５】
一方、エンジンプーリ３１ａからＶベルトにより変速機入力プーリ３２ｂに動力は伝達され、変速機３２により変速された動力はクローラ３３に伝わり、自走台車３は走行する。エンジンプーリ３１ａと変速機入力プーリ３２ｂを連結するＶベルト部は、走行テンションアーム３５ｂによるテンションクラッチが設けてあり、操作パネル４に設けられたレバー操作により動力を伝達，遮断が可能である。
【００１６】
図４において、１４，１４１の撹拌羽根は互いに内方の矢印の方向へ回転し、１４，１４１の撹拌羽根はリボン状螺旋に形成され、肥料は互いに逆方向に移送されるように形成されている。
【００１７】
また、移送方向の末端には、隣接する樋に肥料が掻き送られるように掻き上げ材１０，１０１を設けて、肥料が連続循環するように構成されている。
【００１８】
シャッタ開閉レバー２３を操作すると、第１シャッタ開閉ロット３０，リンクアーム３０ａ，第２シャッタ開閉ロット２４を介し支軸２６を支点にし揺動板２７を回動させ、揺動板と連結されたシャッタ板をスライドさせ、排出口を開きホッパ１８より落下した肥料は、案内筒２２を通り散布される。
【００１９】
図５，図６において、Ｕ字状の樋１７，１７１の底面には略五角形の排出口１５，１５１が設けられている。この樋１７，１７１の下面には、シャッタ板１９を密着させて設けている。シャッタ板１９には、落下口２８が設けられ、落下口２８には可撓性の案内筒２２が設けられている。
【００２０】
シャッタ開閉レバー２３を引くと、第１シャッタ開閉ロット３０が矢印方向に動き、リンクアーム３０ａを介して第２シャッタ開閉ロット２４を引き、揺動板２７を支軸２６を支点にし矢印方向に回転させ、連結ロット２５により連結されたシャッタ板１９がスライドする。
【００２１】
図７は、肥料散布装置を前方より図示したもので、案内筒２２の使用例を示したものである。可撓性の案内筒２２の先端部は、ホッパ１８の下部に掛け渡した横支持材２９の切欠溝に取り付けられた固定リング２９ａに、案内筒を挿入し希望位置で固定することが可能で、Ａ部のように複数本をまとめたり、Ｂ部のように単体で散布することも選択でき、Ｃ部のように延長横支持材２９ｂを利用して、ホッパ１８の幅よりも外側に散布することも可能であり、栽培畝の中心部や希望する畝筋条に合致するように案内筒２２の先端位置を固定して散布することができる。
【００２２】
図８はハンドル４６に取り付けられた運転操作用の操作パネル４の平面図を示したもので、メインスイッチ４１でエンジンを始動および停止可能に設けてあり、スロットルレバー４２でエンジンの回転数を制御する。走行クラッチレバー４３をＯＮにすると、自走台車は走行し、操向レバー右４４ａを引くと右に旋回し、操向レバー左４４ｂを引くと左に旋回する。
【００２３】
４５は肥料撹拌繰出クラッチレバーで、ＯＮにするとエンジンプーリと肥料散布装置の入力プーリ部のテンションクラッチがＯＮになり、ホッパ内の撹拌繰出部が駆動される。
【図面の簡単な説明】
【００２４】
【図１】本発明を実施した側面図
【図２】肥料散布装置の平面図
【図３】動力の伝達系路をを説明した側面図
【図４】肥料散布装置の一部断面側面図
【図５】シャッタの開度調節説明図
【図６】排出口のシャッタの説明図
【図７】前方よりの側面図
【図８】自走台車の操作パネル部の平面図
【符号の説明】
【００２５】
１      散布機フレーム
２      入力プーリ
２ｂ    出力軸
３      自走台車
３ａ    台車フレーム
４      操作パネル
５      肥料散布装置
６      駆動スプロケット
６ａ    中間スプロケット
６ｂ    テンションスプロケット
６ｃ    ローラーチェーン
７      第１スプロケット
８      第２スプロケット
９      第１回転軸
１０，１０１    掻き上げ材
１１    第１撹拌部
１２    第２撹拌部
１３    第２回転軸
１４，１４１    撹拌羽根
１５，１５１    排出口
１７，１７１    樋
１８    ホッパ
１９    シャッタ板
２２    案内筒
２３    シャッタ開閉レバー
２３ａ  散布量目盛
２３ｂ  レバーガイド
２４    第２シャッタ開閉ロット
２５    連結ロット
２６    支軸
２７    揺動板
２８    落下口
３０    第１シャッタ開閉ロット
３０ａ  リンクアーム
３１    エンジン
３１ａ  エンジンプーリ
３２    変速機
３２ａ  変速レバー
３２ｂ  変速機入力プーリ
３３    クローラ
３４    バッテリー
３５ａ  テンションアーム
３５ｂ  走行テンションアーム
４１    メインスイッチ
４２    スロットルレバー
４３    走行クラッチレバー
４４ａ  操向レバー右
４４ｂ  操向レバー左
４５    肥料撹拌繰出クラッチレバー
４６    ハンドル
【図１】
2005210929.tif 000003
【図２】
2005210929.tif 000004
【図３】
2005210929.tif 000005
【図４】
2005210929.tif 000006
【図５】
2005210929.tif 000007
【図６】
2005210929.tif 000008
【図７】
2005210929.tif 000009
【図８】
2005210929.tif 000010